(57)【特許請求の範囲】
【請求項１】
電線の終端に接続された第１コネクタを第２コネクタに嵌合してなり且つ嵌合方向にほぼ直交する側方に向く四つの側壁を有するほぼ直方体の角形コネクタに外側から係合してこれを覆うコネクタカバーであって、
上記角形コネクタの三つの側壁にそれぞれ対応する三つの内壁を有し、上記角形コネクタに側方から装着されると角形コネクタに係合して各内壁が対応する各側壁をそれぞれ覆うことになる第１カバー本体と、
上記角形コネクタの上記三側壁を除く一つの側壁に対応する内壁を有し、上記角形コネクタに上記第１カバー本体が装着される方向と対向する方向から装着されると角形コネクタに係合してこの内壁が上記一つの側壁を覆うことになる第２カバー本体とを備え、
上記第１カバー本体と第２カバー本体とは、上記第２カバー本体を第１カバー本体に対して回動すると第１カバー本体の三つの内壁のうち中央の内壁と第２カバー本体の内壁とが対向して第１カバー本体及び第２カバー本体が角形コネクタに装着されるように側端同士が可撓性ある連結部材を介して連結されており、
上記第１カバー本体の三つの内壁のうち連結部材から最も遠い内壁には連結部材から離れる側へ凹むことでこの凹みよりも上記中央の内壁から離れた側に外側角部が設けられ、上記第２カバー本体の連結部材から遠い側端には、第２カバー本体の内壁にほぼ直交する方向へ延び且つ先端に連結部材から離れる側へ突き出た外側フックを有する可撓性ある係止片が設けられ、上記第２カバー本体の回動により第１カバー本体及び第２カバー本体が角形コネクタに装着されると上記係止片の外側フックが上記外側角部に掛かるように構成されており、
上記第１カバー本体には、上記中央の内壁から、連結部材から最も遠い内壁とほぼ平行に延びる可撓性あるストッパ片が設けられ、上記係止片の外側フックが上記外側角部に掛かると、このストッパ片が係止片における外側フックと反対側の面に接触するように構成されているコネクタカバー。
【請求項２】
請求項１のコネクタカバーにおいて、さらに、
上記係止片の先端に、上記連結部材に近づく側へ突き出た内側フックが設けられ、
上記ストッパ片には、上記連結部材に近づく側へ凹むことでこの凹みよりも上記中央の内壁から離れた側に内側角部が設けられ、
上記第２カバー本体の回動により上記第１カバー本体及び第２カバー本体が角形コネクタに装着されると上記係止片の内側フックが上記内側角部に掛かるように構成されているコネクタカバー。
【請求項３】
上記第２コネクタが実装先部材に実装されており、上記角形コネクタがワイヤーツーボード形のコネクタである請求項１又は請求項２のコネクタカバー。
【請求項４】
上記第２コネクタが他の電線の終端に接続されており、上記角形コネクタがワイヤーツーワイヤー形のコネクタである請求項１又は請求項２のコネクタカバー。
【発明の詳細な説明】
【技術分野】
【０００１】
本発明は、電気コネクタの技術分野に属し、第１コネクタを第２コネクタに挿入してなる角形コネクタに外側から係合してこれを覆うコネクタカバーに関する。
【背景技術】
【０００２】
特許文献１は、不正防止用カバーで全体が覆われるプリント配線基板に接着されるプラグ及び上記プラグに適合し配線ケーブルが接続されるソケットで構成され、上記ソケットが上記プラグに装着された状態で全体として長方柱形状の外形を呈するコネクタに適用するコネクタカバーを開示している。このコネクタカバーは、上記コネクタの両端部の少なくとも上面、正面、側面および背面の一部を覆う両端部分と、上記コネクタの少なくとも正面を覆う中央部分とを有し、上記コネクタの上記正面を覆う上記両端部分または上記中央部分の一領域には、上記コネクタへの装着時に、上記プラグの嵌合孔に嵌合する、又は上記プラグと上記プリント配線基板との間の隙間に嵌合する、又は上記プラグの底面に引っ掛かる第１の突起が形成されている。
【０００３】
【特許文献１】登録実用新案第３１０６９２２号公報
【発明の開示】
【発明が解決しようとする課題】
【０００４】
上記従来のコネクタカバーは、例えば、このコネクタカバーと不正防止用カバーとの隙間などに先の細いピン状の道具を差し込み、こじることで上記第１の突起の、上記プラグの嵌合孔への嵌合、又は上記プラグと上記プリント配線基板との間の隙間への嵌合、又は上記プラグの底面への引っ掛かりを解除し、プラグからソケットを離脱し、例えばプラグに外部から信号を入力するなどの不正行為が可能である。また、再度プラグにソケットを嵌合し、コネクタカバーを装着すると不正行為の痕跡が残らないので、不正行為の立証が難しい。
【０００５】
本発明は、このような点に着目してなされたものであり、その目的とするところは、一対のカバー本体によってほぼ直方体の角形コネクタを覆い、これらのカバー本体を、一側では可撓性ある連結部材で連結し、他側では係止片のフックの引っ掛けにより連結し且つその引っ掛けの解除を阻止するストッパ片を設けることにより、先の細いピン状の道具などを用いた不正行為を困難とし、強引に不正行為を行うには連結部材を切断するなどの行為によるしかないようにして不正行為の痕跡が残るようにして不正行為の立証を容易にしたコネクタカバーを提供することにある。
【課題を解決するための手段】
【０００６】
本発明は、電線の終端に接続された第１コネクタを第２コネクタに嵌合してなり且つ嵌合方向にほぼ直交する側方に向く四つの側壁を有するほぼ直方体の角形コネクタに外側から係合してこれを覆うコネクタカバーである。このコネクタカバーは、上記角形コネクタの三つの側壁にそれぞれ対応する三つの内壁を有し、上記角形コネクタに側方から装着されると角形コネクタに係合して各内壁が対応する各側壁をそれぞれ覆うことになる第１カバー本体と、上記角形コネクタの上記三側壁を除く一つの側壁に対応する内壁を有し、上記角形コネクタに上記第１カバー本体が装着される方向と対向する方向から装着されると角形コネクタに係合してこの内壁が上記一つの側壁を覆うことになる第２カバー本体とを備え、上記第１カバー本体と第２カバー本体とは、上記第２カバー本体を第１カバー本体に対して回動すると第１カバー本体の三つの内壁のうち中央の内壁と第２カバー本体の内壁とが対向して第１カバー本体及び第２カバー本体が角形コネクタに装着されるように側端同士が可撓性ある連結部材を介して連結されており、上記第１カバー本体の三つの内壁のうち連結部材から最も遠い内壁には連結部材から離れる側へ凹むことでこの凹みよりも上記中央の内壁から離れた側に外側角部が設けられ、上記第２カバー本体の連結部材から遠い側端には、第２カバー本体の内壁にほぼ直交する方向へ延び且つ先端に連結部材から離れる側へ突き出た外側フックを有する可撓性ある係止片が設けられ、上記第２カバー本体の回動により第１カバー本体及び第２カバー本体が角形コネクタに装着されると上記係止片の外側フックが上記外側角部に掛かるように構成されており、上記第１カバー本体には、上記中央の内壁から、連結部材から最も遠い内壁とほぼ平行に延びる可撓性あるストッパ片が設けられ、上記係止片の外側フックが上記外側角部に掛かると、このストッパ片が係止片における外側フックと反対側の面に接触するように構成されている。
【０００７】
第１カバー本体を角形コネクタに側方から装着し、第２カバー本体を連結部材を介して第１カバー本体に対して回動すると第２カバー本体が角形コネクタに第１カバー本体が装着される方向と対向する方向から装着される。そうすると、第１カバー本体が角形コネクタに係合し、第１カバー本体の各内壁が対応する各側壁をそれぞれ覆うと共に、第２カバー本体が角形コネクタに係合し、第２カバー本体の内壁が上記三側壁を除く一つの側壁を覆う。そして、第２カバー本体の係止片の先端が、ストッパ片を撓ませることで第１カバー本体の内壁とストッパ片との間に入り、外側フックが第１カバー本体の外側角部に掛かり、復原したストッパ片が係止片における外側フックと反対側の面に接触する。
【０００８】
その場合、例えば、このコネクタカバーの隙間などに先の細いピン状の道具を差し込み、こじることで第２カバー本体を第１カバー本体から離脱させようとしても、第２カバー本体の係止片の外側フックが第１カバー本体の外側角部に掛かり、しかも係止片の先端が第１カバー本体の内壁とストッパ片とに挟まれて保持されるので、外側フックが外側角部から外れにくい。そのため、角形コネクタからコネクタカバーを外すことが難しく、不正行為が困難になる。
【０００９】
さらに、強引に不正行為を行うには連結部材を切断するなどの行為によるしかないので、不正行為の痕跡が残ることから不正行為の立証が容易になる。
【００１０】
本発明のコネクタカバーは、さらに、上記係止片の先端に、連結部材に近づく側へ突き出た内側フックが設けられ、ストッパ片には、連結部材に近づく側へ凹むことでこの凹みよりも上記中央の内壁から離れた側に内側角部が設けられ、上記第２カバー本体の回動により第１カバー本体及び第２カバー本体が角形コネクタに装着されると上記係止片の内側フックが上記内側角部に掛かるように構成されていてもよい。
【００１１】
このようにすれば、第１カバー本体及び第２カバー本体を角形コネクタに装着すると、第２カバー本体の係止片の先端が、ストッパ片を撓ませることで第１カバー本体の内壁とストッパ片との間に入り、外側フックが第１カバー本体の外側角部に掛かり、内側フックが第１カバー本体の内側角部に掛かり、復原したストッパ片が係止片における外側フックと反対側の面に接触する。このように二つのフックが二つの角部にそれぞれ掛かり、しかも係止片の先端が第１カバー本体の内壁とストッパ片とに挟まれて保持されるので、角形コネクタからコネクタカバーを外すことがさらに難しくなり、不正行為が一層困難になる。
【００１２】
本発明のコネクタカバーは、上記第２コネクタが実装先部材に実装されており、上記角形コネクタがワイヤーツーボード形のコネクタであってもよい。
【００１３】
本発明のコネクタカバーは、上記第２コネクタが他の電線の終端に接続されており、上記角形コネクタがワイヤーツーワイヤー形のコネクタであってもよい。
【発明の効果】
【００１４】
本発明のコネクタカバーは、一対のカバー本体によってほぼ直方体の角形コネクタを覆い、これらのカバー本体を、一側では可撓性ある連結部材で連結し、他側では係止片のフックの引っ掛けにより連結し且つその引っ掛けの解除を阻止するストッパ片を設けたので、先の細いピン状の道具などを用いた不正行為を困難にすることができ、さらに強引に不正行為を行うには連結部材を切断するなどの行為によるしかなく、不正行為の痕跡が残って不正行為の立証を容易にすることができる。
【００１５】
さらに、上記係止片の先端に、上記連結部材に近づく側へ突き出た内側フックを設け、上記ストッパ片に、上記連結部材に近づく側へ凹むことでこの凹みよりも上記中央の内壁から離れた側に内側角部を設け、上記第２カバー本体の回動により上記第１カバー本体及び第２カバー本体が角形コネクタに装着されると上記係止片の内側フックが上記内側角部に掛かるように構成したときには、不正行為を一層困難にすることができる。
【００１６】
本発明のコネクタカバーは、例えばワイヤーツーボード形の角形コネクタやワイヤーツーワイヤー形の角形コネクタに用いることができる。
【発明を実施するための最良の形態】
【００１７】
以下、本発明のコネクタカバーの実施の形態を説明する。図１ないし図６は、本発明の第１実施形態のコネクタカバー１００と、このコネクタカバー１００が装着されるワイヤーツーボード形の角形コネクタ２００とを示し、図７ないし図９は、第１実施形態のコネクタカバー１００を示す。この角形コネクタ２００は、ほぼ直方体の形状をしている。この角形コネクタ２００は、電線３００の終端に接続された第１コネクタ２１０と、この第１コネクタ２１０が嵌合する第２コネクタ２２０とにより構成されている。
【００１８】
第１コネクタ２１０は、絶縁性材料により形成されたハウジングと、導電性材料により形成されてハウジングに装着されたコンタクトとを備えており、このコンタクトが電線３００に接続されている。
【００１９】
第２コネクタ２２０は、絶縁性材料により形成されたハウジングと、導電性材料により形成されてハウジングに装着されたコンタクトとを備えている。そして、このコンタクトがプリント配線板よりなる実装先部材４００にハンダ付けされており、これによって第２コネクタ２２０は実装先部材４００に実装されている。しかし、これによって本発明の対象とする第２コネクタの実装先部材は限定解釈されず、例えば表面に導電部が形成された立体的な形状の絶縁性材料よりなる部材、製品なども実装先部材に含まれる。
【００２０】
上記角形コネクタ２００は、その外側に、側方に向く四つの側壁を備えている。この側方というのは嵌合方向にほぼ直交する方向である。この四つの側壁は、嵌合方向に沿って第１コネクタ２１０の側からみて時計まわりに第１側壁２３１、第２側壁２３２、第３側壁２３３、第４側壁２３４と並んでいる。第１側壁２３１と第３側壁２３３はほぼ同じ方向に向いており、角形コネクタ２００の表裏の壁を構成する。また、第２側壁２３２と第４側壁２３４はほぼ同じ方向に向いており、角形コネクタ２００の表裏の壁を構成する。第１側壁２３１、第２側壁２３２、第３側壁２３３、及び第４側壁２３４は、いずれも第１コネクタ２１０の側壁と第２コネクタ２２０の側壁とで構成されているが、一方のコネクタの側壁のみによって構成してもよい。そして、コネクタカバー１００は、この角形コネクタ２００に外側から係合してこれを覆う。
【００２１】
上記コネクタカバー１００は、第１カバー本体１１０と、第２カバー本体１２０とを備えている。第１カバー本体１１０は、嵌合方向に直交する面で断面したときに、ほぼコの字形になるように形成されている。この第１カバー本体１１０は、その内側に、上記角形コネクタ２００の三つの側壁にそれぞれ対応する三つの内壁を備えている。これらの内壁は、第１側壁２３１に対応する第１内壁１１１と、第２側壁２３２に対応する第２内壁１１２と、第３側壁２３３に対応する第３内壁１１３である。これらの内壁は、嵌合方向に沿って第１コネクタ２１０に対応する側からみて時計まわりに第１内壁１１１、第２内壁１１２、第３内壁１１３の順で並んでいる。そして、図１及び図６に示すように、この第１カバー本体１１０は、上記角形コネクタ２００に側方から装着されると第１内壁１１１がこれに対応する第１側壁２３１を覆い、第２内壁１１２がこれに対応する第２側壁２３２を覆い、第３内壁１１３がこれに対応する第３側壁２３３を覆う。また、第１カバー本体１１０は、角形コネクタ２００に側方から装着されると角形コネクタ２００に係合するように構成されている。この係合は、嵌合方向にほぼ直交する方向に沿って突出する凸部と、同方向に沿って凹む凹部とが嵌合する凹凸嵌合により行われる。角形コネクタの側壁に凸部を設け、第１カバー本体の内壁にこの凸部に嵌合する凹部を設けてもよいし、角形コネクタの側壁に凹部を設け、第１カバー本体の内壁にこの凹部に嵌合する凸部を設けてもよい。また、角形コネクタの側壁に凹部を設けずに、第１カバー本体に角形コネクタの嵌合方向の少なくとも一方の端面に被さる端壁を設け、この角形コネクタの端面と第１カバー本体の端壁との嵌合方向での干渉により係合を行ってもよい。さらに、これらの構造を組み合わせてもよい。この実施形態の場合、角形コネクタ２００の第１側壁２３１、第２側壁２３２、及び第３側壁２３３に、それぞれ側方へ突出する凸部２３１ａ、２３２ａ、２３３ａが設けられている。これらの凸部２３１ａ、２３２ａ、２３３ａは、第１コネクタ２１０のハウジングの反嵌合側の端面を側方へ突出させてなるフランジである。また、中央の第２側壁２３２に設けられた凸部２３２ａは、ロックアームの先端に設けられている。また、第１カバー本体１１０の第１内壁１１１、第２内壁１１２、及び第３内壁１１３に、それぞれ角形コネクタ２００の装着方向に向かって側方へ凹む凹部１１１ａ、１１２ａ、１１３ａが設けられている。第１内壁１１１、及び第３内壁１１３に設けられた凹部１１１ａ、１１３ａは、これらの対向する方向にも開口している。よって、第１カバー本体１１０が角形コネクタ２００に側方から装着されると、第１カバー本体１１０の凹部１１１ａ、１１２ａ、１１３ａが角形コネクタ２００の凸部２３１ａ、２３２ａ、２３３ａにそれぞれ嵌合し、これによって第１カバー本体１１０が角形コネクタ２００に係合する。しかし、この実施形態の構成によって第１カバー本体１１０を角形コネクタ２００に係合させる構造が限定解釈されることはない。
【００２２】
第２カバー本体１２０は、ほぼ板形に形成されている。この第２カバー本体１２０は、その内側に、上記角形コネクタ２００の上記三側壁を除く一つの側壁に対応する内壁を備えている。この内壁は、第４側壁２３４に対応する第４内壁１２１である。図５及び図６に示すように、この第２カバー本体１２０は、上記角形コネクタ２００に上記第１カバー本体１１０が装着される方向と対向する方向から装着されると第４内壁１２１がこれに対応する第４側壁２３４を覆う。また、第２カバー本体１２０は、角形コネクタ２００に上記第１カバー本体１１０が装着される方向と対向する方向から装着されると角形コネクタ２００に係合するように構成されている。この係合は、嵌合方向にほぼ直交する方向に沿って突出する凸部と、同方向に沿って凹む凹部とが嵌合する凹凸嵌合により行われる。角形コネクタの側壁に凸部を設け、第２カバー本体の内壁にこの凸部に嵌合する凹部を設けてもよいし、角形コネクタの側壁に凹部を設け、第２カバー本体の内壁にこの凹部に嵌合する凸部を設けてもよい。また、角形コネクタの側壁に凹部を設けずに、第２カバー本体に角形コネクタにおける嵌合方向の少なくとも一方の端面に被さる端壁を設け、この角形コネクタの端面と第２カバー本体の端壁との嵌合方向での干渉により係合を行ってもよい。さらに、これらの構造を組み合わせてもよい。この実施形態の場合、角形コネクタ２００の第４側壁２３４に側方から凹む凹部２３４ａが設けられている。この凹部２３４ａは、第２コネクタ２２０のハウジングの嵌合側の端縁を嵌合方向に凹ませることで形成されている。また、第２カバー本体１２０の第４内壁１２１に角形コネクタ２００の装着方向に向かって側方へ突出する凸部１２１ａが設けられている。よって、第２カバー本体１２０が角形コネクタ２００に側方から装着されると、第２カバー本体１２０の凸部１２１ａが角形コネクタ２００の凹部２３４ａに嵌合し、これによって第２カバー本体１２０が角形コネクタ２００に係合する。しかし、この実施形態の構成によって第２カバー本体１２０を角形コネクタ２００に係合させる構造が限定解釈されることはない。
【００２３】
上記第１カバー本体１１０と第２カバー本体１２０とは、側端同士が可撓性ある連結部材１３０を介して連結されている。この実施形態の場合、上記第１カバー本体１１０と第２カバー本体１２０とが、これらに両端をそれぞれ一体的に接続されたベルト状の連結部材１３０を介して連結されている。ここでは連結部材１３０の一端が第１カバー本体１１０における第１内壁１１１の外側にある外壁に接続され、連結部材１３０の他端が第２カバー本体１２０の外側にある外壁の側端に接続されている。連結部材１３０は嵌合方向に間隔をあけて二つ設けられている。しかし、これによって本発明のコネクタカバーに設けられる連結部材の形状又は数が限定解釈されることはない。よって、図１、図６、図５の順でみると分かるように、第２カバー本体１２０を第１カバー本体１１０に対して回動すると第１カバー本体１１０の三つの内壁のうち中央の内壁である第２内壁１１２と第２カバー本体１２０の内壁である第４内壁１２１とが対向して第１カバー本体１１０及び第２カバー本体１２０が角形コネクタ２００に装着されるように構成されている。
【００２４】
図２、及び図７ないし図９に示すように、上記第１カバー本体１１０の三つの内壁のうち連結部材１３０から最も遠い内壁である第３内壁１１３には、連結部材１３０から離れる側へ凹むことでこの凹みよりも角形コネクタ２００への装着方向に沿って上記中央の内壁である第２内壁１１２から離れた側に外側角部１１４が設けられている。また、図１ないし図４、及び図６ないし図９に示すように、上記第２カバー本体１２０の連結部材１３０から遠い側端には、第２カバー本体１２０の内壁である第４内壁１２１にほぼ直交する方向へ延びる可撓性ある係止片１２２が設けられている。この係止片１２２の先端には、連結部材１３０から離れる側へ突き出た外側フック１２２ａが設けられている。そして、上記第２カバー本体１２０の側方への回動により第１カバー本体１１０及び第２カバー本体１２０が角形コネクタ２００に装着されると上記係止片１２２の外側フック１２２ａが上記外側角部１１４に掛かるように構成されている。
【００２５】
図２、及び図７ないし図９に示すように、上記第１カバー本体１１０には、上記中央の内壁である第２内壁１１２から、連結部材１３０から最も遠い内壁である第３内壁１１３とほぼ平行に延びる可撓性あるストッパ片１１５が設けられている。そして、上記係止片１２２の外側フック１２２ａが上記外側角部１１４に掛かると、このストッパ片１１５が係止片１２２における外側フック１２２ａと反対側の面に接触するように構成されている。
【００２６】
次に、上記第１実施形態のコネクタカバー１００の作用及び効果を説明する。第１カバー本体１１０を角形コネクタ２００に側方から装着し、第２カバー本体１２０を連結部材１３０を介して第１カバー本体１１０に対して回動すると第２カバー本体１２０が角形コネクタ２００に第１カバー本体１１０が装着される方向と対向する方向から装着される。そうすると、第１カバー本体１１０が角形コネクタ２００に係合し、第１カバー本体１１０の第１内壁１１１、第２内壁１１２及び第３内壁１１３が対応する第１側壁２３１、第２側壁２３２及び第３側壁２３３をそれぞれ覆うと共に、第２カバー本体１２０が角形コネクタ２００に係合し、第２カバー本体１２０の第４内壁１２１が上記三側壁を除く一つの側壁である第４側壁２３４を覆う。そして、第２カバー本体１２０の係止片１２２の先端が、ストッパ片１１５を撓ませることで第１カバー本体１１０の第３内壁１１３とストッパ片１１５との間に入り、外側フック１２２ａが第１カバー本体１１０の外側角部１１４に掛かり、復原したストッパ片１１５が係止片１２２における外側フック１２２ａと反対側の面に接触する。
【００２７】
その場合、例えば、このコネクタカバー１００の隙間などに先の細いピン状の道具を差し込み、こじることで第２カバー本体１２０を第１カバー本体１１０から離脱させようとしても、第２カバー本体１２０の係止片１２２の外側フック１２２ａが第１カバー本体１１０の外側角部１１４に掛かり、しかも係止片１２２の先端が第１カバー本体１１０の第３内壁１１３とストッパ片１１５とに挟まれて保持されるので、外側フック１２２ａが外側角部１１４から外れにくい。そのため、角形コネクタ２００からコネクタカバー１００を外すことが難しく、不正行為が困難になる。
【００２８】
さらに、強引に不正行為を行うには連結部材１３０を切断するなどの行為によるしかないので、不正行為の痕跡が残ることから不正行為の立証が容易になる。
【００２９】
本発明のコネクタカバーは、第２コネクタの形態を限定していない。そのような種々の実施形態のなかで、上記第２コネクタ２２０が実装先部材４００に実装されており、上記角形コネクタ２００がワイヤーツーボード形のコネクタである。したがって、ワイヤーツーボード形の角形コネクタ２００が不正行為を受けることを防止するためのコネクタカバー１００が開示された。
【００３０】
次に、図１０ないし図１２により、本発明の第２実施形態のコネクタカバー１００を説明する。この第２実施形態のコネクタカバー１００の説明では、第１実施形態のコネクタカバー１００と同一の機能を発揮する部材、部分には第１実施形態のコネクタカバー１００で用いた符号と同一の符号を付して、その説明を省略する。そして、第２実施形態のコネクタカバー１００において、第１実施形態のコネクタカバー１００と構成の異なる点を説明する。したがって、記載のない構成は第１実施形態のコネクタカバー１００の構成と同一である。
【００３１】
第２実施形態のコネクタカバー１００では、ストッパ片１１５及び係止片１２２の構成が第１実施形態のコネクタカバー１００と異なる。この実施形態では、第１実施形態のコネクタカバー１００において、さらに、上記係止片１２２の先端に、上記連結部材１３０に近づく側へ突き出た内側フック１２２ｂが設けられている。また、上記ストッパ片１１５には、上記連結部材１３０に近づく側へ凹むことでこの凹みよりも角形コネクタ２００の装着方向に沿って上記中央の内壁である第２内壁１１２から離れた側に内側角部１１５ａが設けられている。そして、上記第２カバー本体１２０の回動により上記第１カバー本体１１０及び第２カバー本体１２０が角形コネクタ２００に装着されると上記係止片１２２の内側フック１２２ｂが上記内側角部１１５ａに掛かるように構成されている。その他の構成は第１実施形態と同様である。この第２実施形態のコネクタカバー１００は、第１実施形態のコネクタカバー１００のときと同様にして第１実施形態で用いた実装先部材４００に実装された第２コネクタを備える角形コネクタ２００に装着することができるが、後述するような電線の終端に接続された第２コネクタを備える角形コネクタに装着することもできる。
【００３２】
この第２実施形態のコネクタカバー１００のようにすれば、第１カバー本体１１０及び第２カバー本体１２０を角形コネクタ２００に装着すると、第２カバー本体１２０の係止片１２２の先端が、ストッパ片１１５を撓ませることで第１カバー本体１１０の第３内壁１１３とストッパ片１１５との間に入り、外側フック１２２ａが第１カバー本体１１０の外側角部１１４に掛かり、内側フック１２２ｂが第１カバー本体１１０の内側角部１１５ａに掛かり、復原したストッパ片１１５が係止片１２２における外側フック１２２ａと反対側の面に接触する。このように二つのフックが二つの角部にそれぞれ掛かり、しかも係止片１２２の先端が第１カバー本体１１０の第３内壁１１３とストッパ片１１５とに挟まれて保持されるので、角形コネクタ２００からコネクタカバー１００を外すことがさらに難しくなり、不正行為が一層困難になる。さらに、第１実施形態のコネクタカバー１００と同様に、強引に不正行為を行うには連結部材１３０を切断するなどの行為によるしかないので、不正行為の痕跡が残ることから不正行為の立証が容易になる。
【００３３】
図１３ないし図１８は、第１実施形態のコネクタカバー１００を、先に説明したワイヤーツーボード形の角形コネクタ２００と異なるワイヤーツーワイヤー形の角形コネクタ２００に装着した実施形態を示している。先に説明したワイヤーツーボード形の角形コネクタ２００が備える第２コネクタ２２０は、実装先部材４００に実装されていたが、このワイヤーツーワイヤー形の角形コネクタ２００が備える第２コネクタ２２０は電線３００の終端に接続されている。このワイヤーツーワイヤー形の角形コネクタ２００には第２実施形態のコネクタカバー１００を装着することもできる。このワイヤーツーワイヤー形の角形コネクタ２００の説明では、先のワイヤーツーボード形の角形コネクタ２００と同一の機能を発揮する部材、部分には先のワイヤーツーボード形の角形コネクタ２００で用いた符号と同一の符号を付して、その説明を省略する。そして、ワイヤーツーワイヤー形の角形コネクタ２００において、先のワイヤーツーボード形の角形コネクタ２００と構成の異なる点を説明する。したがって、記載のない構成は先のワイヤーツーボード形の角形コネクタ２００の構成と同一である。
【００３４】
この角形コネクタ２００は、ほぼ直方体の形状をしている。この角形コネクタ２００は、電線３００の終端に接続された第１コネクタ２１０と、この第１コネクタ２１０が嵌合する第２コネクタ２２０とにより構成されている。
【００３５】
第１コネクタ２１０は、絶縁性材料により形成されたハウジングと、導電性材料により形成されてハウジングに装着されたコンタクトとを備えており、このコンタクトが電線３００に接続されている。
【００３６】
第２コネクタ２２０は、絶縁性材料により形成されたハウジングと、導電性材料により形成されてハウジングに装着されたコンタクトとを備えている。そして、このコンタクトが、第１コネクタ２１０が接続された電線３００とは別の他の電線３００の終端に接続されており、これによって第２コネクタ２２０は、この他の電線３００の終端に接続されている。
【００３７】
上記角形コネクタ２００は、その外側に、側方に向く四つの側壁を備えている。この側方というのは嵌合方向にほぼ直交する方向である。この四つの側壁は、嵌合方向に沿って第１コネクタ２１０の側からみて時計まわりに第１側壁２３１、第２側壁２３２、第３側壁２３３、第４側壁２３４と並んでいる。第１側壁２３１と第３側壁２３３はほぼ同じ方向に向いており、角形コネクタ２００の表裏の壁を構成する。また、第２側壁２３２と第４側壁２３４はほぼ同じ方向に向いており、角形コネクタ２００の表裏の壁を構成する。第１側壁２３１、第２側壁２３２、第３側壁２３３、及び第４側壁２３４は、いずれも第１コネクタ２１０の側壁と第２コネクタ２２０の側壁とで構成されているが、一方のコネクタの側壁のみによって構成してもよい。そして、コネクタカバー１００は、この角形コネクタ２００に外側から係合してこれを覆う。
【００３８】
このワイヤーツーワイヤー形の角形コネクタ２００への第１実施形態のコネクタカバー１００又は第２実施形態のコネクタカバー１００の装着は、先に説明したワイヤーツーボード形の角形コネクタ２００への第１実施形態のコネクタカバー１００の装着又は第２実施形態のコネクタカバー１００の装着と同様にして行われる。そして、得られる作用及び効果は、ワイヤーツーボード形の角形コネクタ２００に装着したときと同様である。
【００３９】
本発明のコネクタカバーは、第２コネクタの形態を限定していない。そのような種々の実施形態のなかで、上記実施形態のコネクタカバー１００は、上記第２コネクタ２２０が他の電線３００の終端に接続されており、上記角形コネクタ２００がワイヤーツーワイヤー形のコネクタである。したがって、ワイヤーツーワイヤー形の角形コネクタ２００が不正行為を受けることを防止するためのコネクタカバー１００が開示された。
【００４０】
本発明は、以上の実施形態の特徴を組み合わせた実施形態を含んでいる。さらに、以上の実施形態は本発明のコネクタカバー及びそれが装着される角形コネクタのいくつかの例を示したに過ぎない。したがって、これらの実施形態の記載によって本発明のコネクタカバー及びそれが装着される角形コネクタが限定解釈されることはない。
【図面の簡単な説明】
【００４１】
【図１】本発明の第１実施形態のコネクタカバーと、このコネクタカバーが装着されるワイヤーツーボード形の角形コネクタとを示す斜視図である。角形コネクタが実装先部材に実装されており、第１カバー本体が角形コネクタに装着されている。
【図２】図１相当の斜視図である。角形コネクタが実装先部材に実装されており、コネクタカバーが角形コネクタから離れている。
【図３】別の角度からみた図２相当の斜視図である。
【図４】別の角度からみた図２相当の斜視図である。
【図５】上記第１実施形態のコネクタカバーを実装先部材に実装されたワイヤーツーボード形の角形コネクタに装着したときの平面図である。
【図６】上記第１実施形態のコネクタカバーの第１カバー本体をワイヤーツーボード形の角形コネクタに装着したときの平面図である。
【図７】上記第１実施形態のコネクタカバーの斜視図である。
【図８】上記第１実施形態のコネクタカバーを第１コネクタと第２コネクタとの嵌合方向にほぼ直交する面で断面した断面図である。係止片がストッパ片を撓ませている。
【図９】上記第１実施形態のコネクタカバーをワイヤーツーボード形の角形コネクタに装着して第１コネクタと第２コネクタとの嵌合方向にほぼ直交する面で断面した断面図である。
【図１０】上記第２実施形態のコネクタカバーの斜視図である。
【図１１】上記第２実施形態のコネクタカバーを第１コネクタと第２コネクタとの嵌合方向にほぼ直交する面で断面した断面図である。係止片がストッパ片を撓ませている。
【図１２】上記第２実施形態のコネクタカバーをワイヤーツーボード形の角形コネクタに装着して第１コネクタと第２コネクタとの嵌合方向にほぼ直交する面で断面した断面図である。
【図１３】本発明の第１実施形態のコネクタカバーと、このコネクタカバーが装着されるワイヤーツーワイヤー形の角形コネクタとを示す斜視図である。第１カバー本体が角形コネクタに装着されている。
【図１４】図１３相当の斜視図である。コネクタカバーが角形コネクタから離れている。
【図１５】別の角度からみた図１４相当の斜視図である。
【図１６】別の角度からみた図１４相当の斜視図である。
【図１７】上記第１実施形態のコネクタカバーをワイヤーツーワイヤー形の角形コネクタに装着したときの平面図である。
【図１８】上記第１実施形態のコネクタカバーの第１カバー本体をワイヤーツーワイヤー形の角形コネクタに装着したときの平面図である。
【符号の説明】
【００４２】
１００  コネクタカバー
１１０  第１カバー本体
１１１  第１内壁
１１２  第２内壁
１１３  第３内壁
１１４  外側角部
１１５  ストッパ片
１１５ａ  内側角部
１２０  第２カバー本体
１２１  第４内壁
１２２  係止片
１２２ａ  外側フック
１２２ｂ  内側フック
１３０  連結部材
２００  角形コネクタ
２１０  第１コネクタ
２２０  第２コネクタ
２３１  第１側壁
２３２  第２側壁
２３３  第３側壁
２３４  第４側壁
３００  電線
４００  実装先部材
【図１】
0005037401.tif 000002
【図２】
0005037401.tif 000003
【図３】
0005037401.tif 000004
【図４】
0005037401.tif 000005
【図５】
0005037401.tif 000006
【図６】
0005037401.tif 000007
【図７】
0005037401.tif 000008
【図８】
0005037401.tif 000009
【図９】
0005037401.tif 000010
【図１０】
0005037401.tif 000011
【図１１】
0005037401.tif 000012
【図１２】
0005037401.tif 000013
【図１３】
0005037401.tif 000014
【図１４】
0005037401.tif 000015
【図１５】
0005037401.tif 000016
【図１６】
0005037401.tif 000017
【図１７】
0005037401.tif 000018
【図１８】
0005037401.tif 000019